(57)【要約】      （修正有）【課題】こたつ内に居ながらティッシュを使用でき、かつ天板の上も広く使えるようにしたティッシュ箱収納ボックスを提供する。【解決手段】ティッシュ箱を収納するプラスチック製ボックス１であって、ティッシュ取り出し口４の反対側の面を、ティッシュ箱を入れる口より長くし、外側に折り曲げてあり、前記折り曲げ部の少なくとも上部の面に滑り止め３を設け先端に丸み２を付けてある。その折り曲げてある部分を、こたつの天板の下とこたつ本体の上との間に差し込み使用する。【選択図】図４
0003182714.tif 000002
【実用新案登録請求の範囲】
【請求項１】
ティッシュ箱を収納するボックスに折り曲げ可能な平板を取り付け、差し込む方の、少なくとも上部の面に滑り止めを設けることを特徴とするティッシュ箱収納ボックス
【請求項２】
前記の折り曲げ可能な平板の、差し込む方の少なくとも上部の面に滑り止めを設けた板の先端に、丸みをつけ、こたつ布団を傷つけにくくし、差し込み易くしたのを、特徴とするティッシュ箱収納ボックス
【請求項３】
前記の様に滑り止めを設ける事によって、こたつ布団を外す夏でも使用でき、１年中使用可能なのを特徴とするティッシュ箱収納ボックス
【請求項４】
［実施例］で述べたように、素材は、プラスチック等のため、本体にいろいろと装飾ができるのを特徴とするティッシュ箱収納ボックス
【考案の詳細な説明】
【技術分野】
【０００１】  本考案はティッシュ箱を収納するボックスに折り曲げ可能な平板を取り付け、差し込む方の、少なくとも上部の面に滑り止めを付け、こたつの天板の下とこたつ本体の間に差し込み使用するティッシュ箱ボックスホルダーである。
【背景技術】
【０００２】  ティッシュ箱は、こたつなどの天板の上や、棚の上などに、置かれている。
【先行技術文献】
【特許文献】
【０００３】
【特許文献１】  公開実用昭和５１−１５４６５
【特許文献２】  実用新案登録第３１１６５６５号  Ｕ３１１６５６５
【考案の概要】
【考案が解決しようとする課題】
【０００４】  ティッシュ箱は、こたつなどの天板の上にあると場所をとり、棚の上などに置いてあると、こたつから出て取りに行かなければならない。本ティッシュ箱収納ボックスホルダーを使うことにより、こたつの内に居ながらティッシュを使用できるし、天板の上も広く使える。
【課題を解決しようとするための手段】
【０００５】  本考案は、ティッシュ箱を収納するボックスに、折り曲げ可能な平板を取り付け差し込む方の、少なくとも上部の面に滑り止めを付け、その先端に丸みをつけた平板をこたつの天板の下と、こたつ本体の間に差し込み使用する。
【考案の効果】
【０００６】  上述のように差し込み式にする事により、こたつの天板の上や棚などのスペースが広く使える。ティッシュが身近な所にありすぐ使える。滑り止めを付ける事により、こたつ布団をはずした夏にも使用可能である。丸みをつけることでこたつ布団を、傷つけにくい。
【図面の簡単な説明】
【０００７】
【図１】本考案のティシュ箱収納ボックスホルダー夏冬両用の立体図
【図２】本考案の正面
【図３】本考案の側面図
【図４】本考案をこたつに設置した図
【考案を実施するための形態】
【０００８】ティッシュ箱を収納するボックスに、折り曲げ可能な平板を取り付け、差し込む方の少なくとも上部の面に滑り止めを設けた平板を、折り曲げ、こたつの天板の下と本体の間に差し込み使用する。その先端に、丸みをつけてあるため、こたつの天板を少し持ち上げるだけで、簡単に設置でき、こたつ布団も傷まない。
【実施例】
【０００９】以下、添付図面に従って実施図を説明する。１はティッシュ箱本体をカバーし取り出し口の穴４がついている。２は折り曲げ可能な平板で、上部の差し込む方の上の面に３の滑り止めを付けている。この３の滑り止めを付けた部分の先端に丸みをつけている。これをこたつの天板の下とこたつの本体の間に差し込む。ティッシュ箱収納ボックスホルダーなので、素材はプラスチック等の軽く折り曲げ可能な物にする。【００１０】本考案の一実施例は上述の如き構成からなるものであるから、こたつに差し込むだけで、こたつから出なくても何時でもティッシュを使え、天板の上も広く使え、滑り止めを付ける事により、こたつ布団をはずした夏場でも使用できる。
【符号の説明】
【００１１】１  収納ボックス本体
２  折り曲げ可能な平板で、差し込む方の先端が丸くなっている
３  滑り止め
４  ティッシュ取り出し口
【図１】
0003182714.tif 000003
【図２】
0003182714.tif 000004
【図３】
0003182714.tif 000005
【図４】
0003182714.tif 000006
【手続補正書】
【提出日】平成25年1月17日(2013.1.17)
【手続補正１】
【補正対象書類名】明細書
【補正対象項目名】全文
【補正方法】変更
【補正の内容】
【考案の詳細な説明】
【技術分野】
【０００１】  本考案はティッシュ箱を収納するプラスチック製ボックスで、ティッシュ取り出し口の反対側の面を、ティッシュ箱を入れる口より長くし、外側に折り曲げてあり、前記折り曲げ部の少なくとも上部の面に滑り止めを設け先端に丸みを付けてある。その折り曲げてある部分を、こたつの天板の下とこたつ本体の上との間に差し込み使用するティッシュ箱収納ボックスである。
【背景技術】
【０００２】ティッシュ箱は、こたつなどの天板の上や棚の上などに、置かれている。
【先行技術文献】
【特許文献】
【０００３】
【特許文献１】  公開実用昭和５１−１５４６５
【特許文献２】  実用新案登録第３１１６５６５号Ｕ３１１６５６５
【考案の概要】
【考案が解決しようとする課題】
【０００４】ティッシュ箱は、こたつなどの天板の上にあると場所をとり、棚の上などに置いてあると、こたつから出て取りに行かなければならない。本ティッシュ箱収納ボックスを使うことにより、こたつの内に居ながらティッシュを使用できるし、天板の上も広く使える。
【課題を解決しようとするための手段】
【０００５】  本考案はティッシュ箱を収納するプラスチック製ボックス本体の一部であるティッシュ取り出し口の反対側の面を、ティッシュ箱を入れる口より長くし、外側に折り曲げ、前記折り曲げ部の少なくとも上部の面に滑り止めを設け、その先端に丸みをつけ、こたつの天板の下とこたつ本体の上との間に差し込み使用する。
【考案の効果】
【０００６】  上述のように差し込み式にする事により、こたつの天板の上や棚などのスペースが広く使え、ティッシュが身近な所にあり便利であり、滑り止めを付ける事により、こたつ布団をはずした夏にも使用可能であり、丸みをつけることでこたつ布団を、傷つけにくい。
【図面の簡単な説明】
【０００７】
【図１】本考案のプラスチック製ティッシュ箱収納ボックス夏冬両用の立面図である。
【図２】本考案のプラスチック製ティッシュ箱収納ボックス夏冬両用の差し込み部分を折り曲げる前の正面図である。
【図３】本考案のプラスチック製ティッシュ箱収納ボックス夏冬両用の側面図である。
【図４】本考案のプラスチック製ティッシュ箱収納ボックス夏冬両用をこたつに設置した図である。
【考案を実施するための形態】
【０００８】ティッシュ箱を収納するプラスチック製ボックスの一部であるティッシュ取り出し口の反対側の面を、ティッシュ箱を入れる口より長くし、外側に折り曲げてあり、前記折り曲げ部の少なくとも上部の面に滑り止めを設け、先端に丸みを付け、こたつの天板の下とこたつ本体の間に差し込み使用する。先端に丸みをつけてあるため、こたつの天板を少し持ち上げるだけで、簡単に設置でき、こたつ布団も傷まない。
【実施例】
【０００９】  以下、添付図面に従って実施図を説明する。１はティッシュ箱を収納する本体で、ティッシュ取り出し口４が中央についている３面からなる１枚のプラスチック。２は折り曲げ可能なプラスチックの長板で、差し込み部分、側面、底になり、１のティッシュ取り出し口の反対側にある。上の部分はティッシュ箱を入れる口より長く、外側に折り曲げてあり、少なくとも上部の面に滑り止め３を設けてあり、先端に丸みをつけてあり、差し込み部分となる。下の部分も長くし、１の底の位置で内側に折り曲げてあり、底の部分となる。差し込み部分を、こたつの天板の下とこたつ本体の間に差し込み使用するティッシュ箱収納ボックスホルダーなので、素材はプラスチックで軽く折り曲げ可能な物にする。【００１０】本考案の一実施例は上述の如き構成からなるものであるから、こたつに差し込むだけで、こたつから出なくても何時でもティッシュを使え、天板の上も広く使え、滑り止めを付ける事により、こたつ布団をはずした夏場でも使用できる。
【符号の説明】
【００１１】１  ティッシュ箱収納ボックスの本体で、ティッシュ取り出し口４が中央についている左右３面からなる１枚のプラスチック
２  折り曲げ可能な上中下の３面からなる１枚のプラスチックで、上部の外側に曲がった部分は差し込み部分である。真ん中は本体の側面であり、１の左右の側面についている。下部は内側に曲がっていて底面であり、１の３面のそれぞれの底に付いている。
３  滑り止め
４  ティッシュ取り出し口
５  ティッシュ箱取り出し口
【手続補正２】
【補正対象書類名】実用新案登録請求の範囲
【補正対象項目名】全文
【補正方法】変更
【補正の内容】
【実用新案登録請求の範囲】
【請求項１】
ティッシュ箱収納ボックス本体の一面であるティッシュ取り出し口の付いた面の反対の面を、ティッシュ箱を入れる口より長くし、外側に折り曲げ折り曲げ部を形成し、前記折り曲げ部の少なくとも上部の面に滑り止めを設け、こたつの天板の下とこたつ本体の上との間に差し込み使用する滑り止めを設けた差し込み部分を持つことを特徴とするプラスチック製ティッシュ箱収納ボックス
【請求項２】
前記の折り曲げ部に滑り止めを設けた部分の先端に、丸みをつけるのを特徴とする請求項１記載のティッシュ箱収納ボックス
【請求項３】
プラスチックから成り、色を塗ったりビーズや布や皮を付けたりと本体にいろいろと装飾を施して成る事を特徴とする請求項１記載のティッシュ箱収納ボックス
【手続補正３】
【補正対象書類名】図面
【補正対象項目名】全図
【補正方法】変更
【補正の内容】
【図１】
0003182714.tif 000007
【図２】
0003182714.tif 000008
【図３】
0003182714.tif 000009
【図４】
0003182714.tif 000010